(57)【要約】【課題】  接着層に気泡が残りにくく接着剤溜まりの発生も少なく、接着効果の薄い接着面を可及的に少なくした木製重ね梁を提供する。また、その重ね梁を使用して曲げ耐力や剪断耐力の向上を図りつつ軽量化を実現した橋桁を可能にする。【解決手段】  芯持ち角材５の各重ね合わせ面５ａに、一定断面形を保って長手方向へ延び角材相互が係合する複数の凹凸条７を形成する。その凹凸条７は個々に頂部、谷部、頂部と谷部をつなぎ平面的に見て頂部や谷部と重なることのない斜部からなる。各重ね合わせ面５ａは、凹凸条７の表面に塗布された接着剤６により接合され、重ね合わせ面５ａにはジベル等の金属部品を介装させずして上下の角材５の長手方向のずれを阻止することができるように、接着剤塗布面積を少なくとも１．２倍は増大されている。【選択図】      図１
2007070880.tif 000002
【特許請求の範囲】
【請求項１】
長尺な木質材を水平に置いた姿勢で重ね、重ね面に接着剤を塗布して一体化させた木製重ね梁において、
芯持ち角材の各重ね合わせ面には、一定断面形を保って長手方向へ延び角材相互が係合する複数の凹凸条が形成され、
該凹凸条は個々に頂部、谷部、頂部と谷部をつなぎ平面的に見て頂部や谷部と重なることのない斜部からなり、
各重ね合わせ面は凹凸条の表面に塗布された接着剤により接合され、重ね合わせ面にはジベル等の金属部品を介装させずして上下の角材の長手方向のずれを阻止することができるように、前記凹凸条の成形に基づき接着剤塗布面積を少なくとも１．２倍は増大させたことを特徴とする木製重ね梁。
【請求項２】
前記凹凸条の１サイクルは、ａ・ｓｉｎθ（１≦ａ≦１．８、θ：ｒａｄ）で与えられる形状であることを特徴とする請求項１に記載された木製重ね梁。
【請求項３】
前記凹凸条の１サイクルは、１／３円弧以上１／２円弧に近い円弧の正逆姿勢の連結によって与えられることを特徴とする請求項１に記載された木製重ね梁。
【請求項４】
前記凹凸条の１サイクルは、上辺と高さがほぼ等しい台形で与える場合、斜辺の立ち上がり角は少なくとも４５度であり、大きくても７５度までであることを特徴とする請求項１に記載された木製重ね梁。
【請求項５】
最上段の角材の上面から最下段の角材に向けてラグスクリューが掛けられていることを特徴とする請求項１ないし請求項４のいずれか一項に記載された木製重ね梁。
【請求項６】
最上段の角材の上面から最下段の角材に向けてラグスクリューが掛けられ、その後ラグスクリューが取り除かれていることを特徴とする請求項１ないし請求項４のいずれか一項に記載された木製重ね梁。
【請求項７】
最上段の角材の上面にはウエブ部を上にした溝形鋼が被せられて接着されていることを特徴とする請求項１ないし請求項６のいずれか一項に記載された木製重ね梁。
【請求項８】
前記溝形鋼のフランジ部が角材上面に設けた二条の溝に嵌め込まれていることを特徴とする請求項７に記載された木製重ね梁。
【請求項９】
前記溝形鋼の上面から最下段の角材に向けてラグスクリューが掛けられていることを特徴とする請求項７または請求項８に記載された木製重ね梁。
【請求項１０】
前記溝形鋼の上面には上方に向けて突出するスタッドが固定されていることを特徴とする請求項９に記載された木製重ね梁。
【請求項１１】
請求項１０に記載された木製重ね梁を橋桁として構築されたことを特徴とする木橋。
【発明の詳細な説明】
【技術分野】
【０００１】
本発明は木製重ね梁およびそれを使用した木橋に係り、詳しくは、長尺な木質角材を水平に置いた姿勢で重ね、重ね面に接着剤を塗布して一体化させた木製重ね梁に関する。すなわち、間伐材などの低品質小断面材を、橋梁の木製桁や建築物の梁等に適用できるようにした重ね梁の改良に関するものである。
【背景技術】
【０００２】
柱や梁に使われる建築用の長い構造材は、「一本もの」の材料から製材するか、薄板材を積み重ねた集成材でつくられる。「一本もの」は材径が大きくなると高価となるだけでなく、国産材では入手がもはや困難になってきているものもある。一方、集成材は、繊維方向が板材の長さ方向に並行して品質のばらつきが少ない。しかし、一本の木材における使用可能な部分に限界のあることから原木に対する歩留りが悪く、低廉化は簡単に望めない。
【０００３】
近年、間伐材等の低品質材の有効利用法が種々開発されてきているが、それを建築土木資材に供するうえで乗り越えなければならないことに、長尺化と大断面化がある。特開２０００−２８９００８に記載されているように、木材を重ねたり縦継ぎする際に鋼棒を内装させたり、それに予張力を掛けるなどして木材の弱点を補いつつ大構造材とする試みが展開されている。これと並行して最近では、強大な接着力を発揮し耐候性もある接着剤の開発や接着処理技術の進歩も見逃すことはできない。
【０００４】
ところで、橋梁の桁材として木材を使用することが注目されるようになってきている。すなわち、特開２００３−３４２９１１に開示されたごとく、路盤を形づくるコンクリート床版を下部で長手方向に支える桁材に木製梁を使用するもので、地元の山から出る余剰木材を消費する機会を与えようとする。もちろん、コンクリートや鉄筋の消費を抑えることも目的の一つであるが、橋梁の軽量化をおおいに促すことは言うまでもない。
【０００５】
間伐材などにおいては、それから得られる角材の一辺は９０〜２００ミリメートル、長さは３〜４メートルといったところであるから、橋桁とするためには上記したごとく長尺化と大断面化が不可欠となる。前者は加工精度の上がったフィンガージョイント技術をもってすれば全強接合すら達成されるまでに進歩してきているので問題は少ないが、後者は前者と同じく接着処理技術にかかわるものの、実現のために種々な工夫が提案されているとはいえ、いまだ模索の段階であることは否めない。
【０００６】
高強度構造材を角材の組合せ品によって得ようとする場合、図１１の（ａ）に表したように、多段に重ね合わされた角材３１，３１を長いねじ棒またはラグスクリュー３２によって一体化させる締結法がある。この場合、それぞれの重ね合わせ面には接着剤３３が塗布され、ラグスクリュー３２は養生中の圧着力を及ぼすようにも作用する。このような重ね梁に曲げが作用すると重ね合わせ面にずれが発生し、重ね梁としての一体性が損なわれる。
【０００７】
図１１の（ｂ）は各重ね合わせ面にジベル３４が配設された例で、年輪を横断するようにして上段から下段の角材までを縦通するラグスクリュー３２を取り囲むようにして角材に噛みこむ。下に拡大して表されたジベルには爪３４ａが上向きおよび下向きに設けられており、組合せ角材を油圧ジャッキで挟んで木面に噛みこませた後にラグスクリュー３２を縦通させる。重ね合わせ面に作用する剪断力は接着層とジベルとで分担して対抗され、段ごとの相対的なずれの発生を阻止できると期待される。
【０００８】
ジベルは金属薄板をリング状や菱形輪郭に成形したものであり、例えば１２０ミリメートルの角材に対して差し渡し６センチメートル、高さ１０ミリメートル程度である。それゆえ、その配設は断続的とならざるを得ず、重ね合わせ面でのずれ応力が大きくなると合わせ面の木層はジベルの爪との間で力を及ぼしあい、爪がめり込むなどする。結局、飛び石的に存在するジベルの爪元にガタが生じてその部分での一体性が損なわれ、組合せ角材の剛性低下を招く。
【０００９】
このように、ジベルは経時的にずれ止め作用を低下させるので、車両等が通過する際に振動や繰り返し荷重を受ける橋桁に適用することは好ましくない。その原因は、重ね合わせ面での接着剤による接合が角材の一体性を維持するに十分でないことに基づく。また、角材に芯持ちを使用すると大なり小なり違いがある年輪の偏りに原因して、組合された状態においても個々の角材の挙動が微妙に異なることは否定できず、これが重ね合わせ面における接着層に二次的な負荷をも掛けることになる。
【００１０】
接着力を大きくするためには、接着性能に変わりがないなら接着面を広くすればよい。広くした場合には空気が噛みやすくなるという問題も付随するが、これはある程度塗布技量の向上や塗布量の選定さらには接合面に及ぼす養生時の圧力の調整などによって解決することができる。図１１の（ａ）は、角材３１の上下の製材面に接着剤３３を塗布し、長いラグスクリュー３２によって例えば四段重ね状態で一気に一体化するものである。この場合の平坦な接着面積は、言うまでもなく幅（紙面左右方向の寸法）×長さ（紙面垂直方向の寸法）である。
【００１１】
これを大きくしたいときは（ｃ）のように凹凸をつくって嵌合させ、立ち上がり面３５によって面積を増大させればよい。また、（ｄ）のように上下面をＶ字状に変形させ、傾斜角αを例えば３０度にすれば２／√３≒１．１５倍、４５度にすれば１．４１倍の接着面積を与えることができる。ところが、これらを丸材もしくは角材から得ようとすると、図１２中に影を施した部分３６，３７からも分かるように、周囲を不平等かつ複雑な形で除去しなければならなくなるから、歩留りが悪くなる。すなわち、例えば１２０ミリメートル角に相当する重ね梁用の角材にしようとすれば、１５０〜１６０ミリメートルの角材を得ることができる丸太や角材を準備しておかなければならないといった無駄が生じる。  
【００１２】
この無駄を少なくするためには、重ね合わせ面に大きな形状を与えないことである。例えば図１１の（ｅ）のように、数は多くして形の小さな凹凸３８なら、対応できるかのように見える。図では約２倍の接着面積を達成しているが、上記したように角材は３〜４メートルもあり、切削された重ね合わせ面を全面密着させることは簡単なことでない。ましてや、凹みに残った空気が隅に追いやられる結果、逃げ出せないまま空洞をつくると接着力は必然的に落ちてしまう。もう一つの問題は、凹凸の立ち上がり面の接着が面積分ほど効いてこないということである。凹凸を噛みあわせる時点で竪面に付着する接着剤が擦り取られること、凹みに入って逃げ道を失った接着剤が凹凸条の深い嵌まり込みを阻害することなどが挙げられる。
【特許文献１】特開２０００−２８９００８
【特許文献２】特開２００３−３４２９１１
【発明の開示】
【発明が解決しようとする課題】
【００１３】
本発明は上記の問題に鑑みなされたもので、その目的は、低品質木材であっても原木から高い歩留りで角材を得て、これを安定した接合による大断面化により大きい強度や剛性を発揮しさらには繰り返し荷重にも強い建築土木用資材とすること、重ね合わせ面でのずれを防止するが経時的に機能を低下させるジベルを採用しなくてもよいようにすること、角材とはいえ個々に等質性が若干異なるゆえの重ね合わせ面でのばらつきのある変形を拘束しておくことができること、接着層に気泡が残りにくく接着剤溜まりの発生も少なく、効きの悪い接着面を可及的に少なくした木製重ね梁を提供することである。さらに、その重ね梁を使用して、変動荷重に対して強くさらに軽量化も図られる橋桁を実現し、地元の余剰木材を消費する機会を与え、コンクリートや鉄筋の消費を抑えられるようにすることである。
【課題を解決するための手段】
【００１４】
本発明は、長尺な木質材を水平に置いた姿勢で重ね、重ね面に接着剤を塗布して一体化させた木製重ね梁に適用される。その特徴とするところは、図１を参照して、芯持ち角材５の各重ね合わせ面５ａに、一定断面形を保って長手方向へ延び角材相互が係合する複数の凹凸条７が形成される。その凹凸条７は図２の（ｂ）に示すように個々に頂部、谷部、頂部と谷部をつなぎ平面的に見て頂部や谷部と重なることのない斜部からなる。そして、各重ね合わせ面５ａは、凹凸条７の表面に塗布された接着剤６（図１を参照）により接合され、重ね合わせ面５ａにはジベル等の金属部品を介装させずして上下の角材５の長手方向のずれを阻止することができるように、凹凸条７の成形に基づき接着剤塗布面積を少なくとも１．２倍に増大させていることである。
【００１５】
凹凸条７の１サイクルは、図２の（ｂ）に示すａ・ｓｉｎθ（１≦ａ≦１．８、θ：ｒａｄ）で与えられる形状としたり、図３の（ｃ）および（ｄ）に示した１／３円弧２０以上１／２円に近い円弧２１の正逆姿勢の連結によって与えられる形にしたりすることができる。また、上辺と高さがほぼ等しい台形で与える場合（図３の（ｅ）を参照）、斜辺の立ち上がり角は少なくとも４５度であり、大きくても７５度までとしておく。
【００１６】
最上段の角材５Ａの上面から最下段の角材５Ｄに向けてラグスクリュー８を掛けて重ね梁としておいたり（図２の（ｃ）を参照）、掛けられたラグスクリューをその後に取り除いた重ね梁（図２の（ｄ）を参照）としてもよい。
【００１７】
図４の（ｂ）のごとく、最上段の角材５Ａの上面にはウエブ部９ｗを上にした溝形鋼９を被せて接着したり、その溝形鋼のフランジ部９ｆを角材５Ａの上面に設けた二条の溝１０に嵌め込むようにしておく。
【００１８】
溝形鋼９の上面から最下段の角材に向けてラグスクリュー８（図４の（ｃ）を参照）を掛けておいたり、溝形鋼の上面に上方へ向けて突出するスタッド１２（図４の（ｂ）を参照）を固定しておけば、このような重ね梁１を木橋１３の構築に供することができる（図１の（ａ）を参照）。
【発明の効果】
【００１９】
本発明によれば、芯持ち角材の各重ね合わせ面に一定断面形を保って長手方向へ延び角材相互が係合する複数の凹凸条を形成するようにしたので、個々の角材は年輪構成に基因して曲がり方、捩れ方が微妙に異なるものであっても、凹凸条による係合はそれを現出させない一体挙動性の高い重ね梁を実現する。すなわち、重ね合わせ面は全長にわたって角材の単独挙動を阻止することになるから、重ね梁は等質性ある部材としての変形を呈しやすくなる。凹凸条は接着層における幅方向の剪断力負担を大きく低減するだけでなく、凹凸条により増えた接着面を利して長手方向の剪断耐力を向上させ、結局接着力は長期にわたり安定して発揮される。
【００２０】
凹凸条は、その１サイクルを頂部、谷部、頂部と谷部をつなぎ平面的に見て頂部や谷部と重なることのない斜部からなるので、塗布された接着剤の層に厚薄が生じにくくまた接着剤溜まりの発生も少なくなる。空気が混入しても開口側にひらいた斜部はその排出を助長し、空洞部の発生を可及的に抑える。凹凸条のある重ね合わせ面にジベルを配設することはできなくないが、そのジベル等の金属部品を介装させなくても上下の角材の長手方向のずれは阻止され、存在すれば経時的に生じるずれ止め機能の低下を受容する必要もなくなる。
【００２１】
凹凸条の存在により角材の製材面に対して表面積を少なくとも１．２倍増大させておけば、それだけ接着面積が増大する。面積の増大のみならず、接着面が係合状態におかれるから接着層は幅方向のずれ阻止負荷から解放され、大部分が長手方向のみの一次元的ずれ防止に対抗させることになり、接着層の脆弱化や剥離を抑えることができる。低品質材であっても原木から高い歩留りの角材を得て、これを安定した接合による大断面化により大きい強度や剛性を発揮させ、さらには繰り返し荷重にも強い建築土木用資材としておくことができる。
【００２２】
前記凹凸条の１サイクルの断面形状をａ・ｓｉｎθ（１≦ａ≦１．８、θ：ｒａｄ）で与えておくと、ａ＝１で表面積を１．２倍にすることができ、ａ＝１．８のときは１．５倍以上にすることが可能となる。サインカーブはａ＝１のときの変曲点の勾配が４５度であるから、混入空気も余剰接着剤も移動しやすくなる。凹凸条を部分円弧で与える場合、１／３円弧以上１／２円弧未満の円弧ならほぼ同じような増加率を得ることができる。１／２円弧に接近するとつなぎ部の勾配は９０度に近づくが、その前後では接線勾配が急に減少するから接着剤の流動が阻害されることはない。
【００２３】
凹凸条は、上辺と高さがほぼ等しい台形の場合、斜辺の立ち上がり角は少なくとも４５度であり、大きくても７５度までとしておけば、表面積を１．２倍から１．６倍にすることができる。斜辺の立ち上がり角は９０度よりかなり小さくなるから、接着剤や気泡が凹凸条の隅部分に停滞するにしても、許容できる程度で済む。
【００２４】
最上段の角材の上面から最下段の角材に向けてラグスクリューを掛けておけば、接着の養生時の固縛力が強化され、その後は重ね梁の重ね合わせの一体性を接着層とともに果たす。重ね梁からラグスクリューを取り除けば、日頃静荷重しか作用しないか大きい繰り返し荷重を想定する必要のないといったところでは十分に使用することができる。
【００２５】
最上段の角材の上面にウエブ部を上にした溝形鋼を被せて接着しておくなら、ヤング係数が約２０倍も大きいから、その溝形鋼の断面積の２０倍に及ぶ大きさの断面積の木質材を重ね梁のその部分に付加させたのと同等の効果が発揮される。組合せ構造材が単に上下のみ重ね合わされた竪方向に長いものであっても、力学的には大きい断面を有するＴ字形構造材とみなすことができ、断面性能の大幅な改善が果たされる。溝形鋼の存在は床版からの荷重を橋桁に分散して伝え、木桁の局部的損傷や損壊の発生も抑制される。
【００２６】
溝形鋼のフランジ部を角材上面に設けた二条の溝に嵌め込んでおけば、最上段の角材の補強がなされるだけでなく、溝形鋼を重ね梁に対して不動の位置におくことができる。ましてや、溝形鋼の上面から最下段の角材に向けてラグスクリューが掛けられていれば、橋桁としても使用できるほどに強固な重ね梁とすることができる。その溝形鋼の上面に上方に向けて突出するスタッドが固定されていれば、それをコンクリート床版に埋めこんで橋梁としての一体性が高められた木製桁となる。
【００２７】
スタッドを植設した溝形鋼を固定した木製重ね梁を橋桁として用いれば、通行に基因する荷重に耐えられまた大きい靱性を有するものとなるとともに、軽量化の図られた橋梁が実現される。地元の余剰木材を消費する機会も与えられ、コンクリートや鉄筋の消費が抑えられるようになる。
【発明を実施するための最良の形態】
【００２８】
以下に、本発明に係る木製重ね梁およびそれを使用した木橋を、その実施の形態を表した図面をもとにして詳細に説明する。図１は木製重ね梁１を橋桁として用いた例であり、（ａ）は鉄筋２により補強されたコンクリート床版３の上面が路面４をなし、車両等が紙面に垂直となる方向に往来する横断面で表されている。すなわち、重ね梁１がコンクリート床版３を下部で長手方向に支える桁材として機能している。その重ね梁１は図２の（ａ）のように、長尺な木質の角材５を水平に置いた姿勢で重ね、重ね合わせ面５ａに接着剤６を塗布して一体化されている。
【００２９】
角材５は芯持ち材が採用され、その各重ね合わせ面５ａには、一定断面形を保って長手方向へ延び角材相互が係合する複数の凹凸条７が連続して形成される。その凹凸条７は、個々にはすなわち１サイクルにおいて、頂部、谷部、頂部と谷部をつなぎ平面的に見て頂部や谷部と重なることのない斜部からなっている。詳しく述べれば、図２の（ｂ）のような例えばサインカーブで与えられる。この例では、斜部の中心位置における傾斜はなだらかとなっている。
【００３０】
図３の（ａ）の（１）から（３）では頂部と谷部をつなぐ斜部に相当する部分が、平面的に見て頂部や谷部と重なっているが、本発明においてはこのような形状としないことにしている。ちなみに、（１）から（３）に表した凹凸条７Ａ，７Ｂ，７Ｃの場合、蟻継ぎ的となるから角材を重ねるにあたり上下方向から噛みあわせることは不可能であり、長手方向に滑らせて嵌合させる必要がある。接着剤が塗布されるから、３メートルもしくはそれ以上ともなる角材では摺動抵抗が極めて大きくなり、操作は実質的に不可能となる。
【００３１】
上記した重ね合わせ面５ａは、その各々の凹凸条７の表面に塗布された接着剤により接合されるが、図１１の（ｂ）におけるジベル３４が採用されることはないので、ジベルがあれば曲げが大きく作用した場合などに起こるめり込みや、それに基づくガタの発生は排除される。凹凸条７は重ね合わせ面５ａにジベル等の金属部品を介装させずして上下の角材５の長手方向のずれの防止に寄与するが、それを形成するにおいては、接着剤塗布面が少なくとも１．２倍増大する形状としておく。
【００３２】
凹凸条７の１サイクルを図２の（ｂ）のようにａ・ｓｉｎθ（１≦ａ≦１．８、θ：ｒａｄ）で与えておくなら、ａ＝１の実線の場合、面積増加率は２０％強となる。これは線積分すれば分かることであるが、図中の二点鎖線のサインカーブのようにａ＝１．８とすれば増加率は６０％近くにもなる。前者の場合の斜部における傾斜、すなわち変曲点における接線の勾配は４５度、後者は約６１度であり、いずれにしても混入空気や余剰接着剤の流動を妨げず、接着に好適な塗膜を生成させる準備が整えられる。上下面にａ＝１のサインカーブが与えらると、図３の（ｂ）に示したようなサイズバランスとなる。
【００３３】
ところで、図２の（ｃ）に示すように、最上段の角材５Ａの上面から最下段の角材５Ｄに向けてラグスクリュー８が掛けられる。ラグスクリュー８としては軸長の大きいものが使用され、その軸端側にねじ部８ｓが形成され、頭部８ｈとねじ部８ｓとの間は円形断面の軸部８ａとなっている。従って、（ｄ）のごとく、重ねられる上の三つの角材５Ａ，５Ｂ，５Ｃには軸部の円滑な挿通を図る馬鹿孔５ｂが形成され、最下段の角材５Ｄにはねじ部の谷径以下の直径を持ったねじ用下孔５ｃが設けられる。このようにしておけば、ラグスクリュー８は年輪を横切る方向に簡単に挿通され、ひび割れを起こさせることなく下端の角材５Ｄに至り、そこで回転が加えられるとねじ用下孔５ｃを螺進する。このようにしておけば、接着養生時の固縛がなされ、その後は重ね梁１の一体性を接着層とともに果たす。
【００３４】
重ね梁１を橋桁として使用する場合には、図２の（ａ）のごとく、最上段の角材５Ａの上面にウエブ部９ｗを上にした溝形鋼９が被せられて接着される。このようにしておくなら、溝形鋼９が角材５よりもヤング係数が約２０倍大きいから、その溝形鋼の断面積の２０倍に及ぶ大きさの断面積の木質材を重ね梁の上部位に付加させたのと同等の効果が発揮される。重ね梁が単に上下のみ重ね合わされた背の高いものであっても、力学的には大きい断面を有する構造材と見なすことができ、断面性能の大幅な改善が図られる。
【００３５】
なお、溝形鋼９は、そのフランジ部を角材の幅全体に被せてもよいが、ここで挙げた例ではフランジ部９ｆが角材５Ａの上面に設けた二条の溝１０（図２の（ｄ）を参照）に嵌め込まれ、そこに予め充填した接着剤１１によって角材との一体化が図られるようにしている。最上段の角材５Ａの補強がなされるだけでなく、溝形鋼自体は重ね梁１に対して断面欠損を生じさせることなく不動の位置におかれる。もちろん、角材の側方に金属物がはみ出ることもない。図１の（ｂ）に示すように、溝形鋼９の上面から最下段の角材５Ｄに向けてラグスクリュー８が掛けられれば、橋桁としても使用するに十分な耐力を持った重ね梁１となる。
【００３６】
その溝形鋼９の上面に図４の（ｂ）に示したごとくの上方に向けて突出するスタッド１２を固定しておけば、それを図１の（ａ）のようにコンクリート床版３に埋めこんで木橋１３としての一体性が高められる。ちなみに、ラグスクリュー８は接着剤６の養生の間の面圧着力を発揮するものであるが、図２の（ｄ）のように養生後に一旦抜き去り、溝形鋼９を固定してから図４の（ｃ）のように再度立てれば、曲げ耐力や剪断耐力が格段に増強された重ね梁となる。
【００３７】
以上のような構成の重ね梁は、その組立てによる大断面化と長尺化とが、次のような手順によって進められる。まず、図５の（ａ）のように、四面プレーナを用いて角材５の平面部とすべき部分５ｄの加工と、カッタによる重ね合わせ面５ａの凹凸条切りを、通常同時に行う。角材５は３〜４メートルの長さがあるが、どの段に使用される角材であるかを定めた後はたいした時間を掛けることなく処理される。図４の（ａ）のように、最上段となる角材５Ａには、溝形鋼のフランジ部を埋める二条の溝１０も切られる。各角材５の接合端５ｅには図５の（ｂ）のようにフィンガー加工が施され、長尺化の準備もなされる。長尺化により車両運搬不可能な長さとなる場合は、縦継ぎ作業を工事現場に運び込んでから行うことにして工場内処理はここでとどめられる。
【００３８】
いずれの場所で縦継ぎするにしても、図６の（ａ）ように角材５のフィンガー部１４に接着剤１５を塗布して、図７のように接合される。その作業要領は材軸方向に圧縮力を及ぼした状態で養生するが、本発明は縦継ぎ方法の提案を直接の目的としていないので、その加圧要領の説明は省く。なお、図ではフィンガー部を凹凸条のない面に与えているが、凹凸条に被せて形成することも差し支えない。次に、凹凸条７の表面に、エポキシ系樹脂などの接着剤６を刷毛などを用いて塗布する。角材５を図６の（ｂ）のように重ねてラグスクリュー８により圧着する。合わせ面から出た塗膜生成後の余剰分は、適宜拭き取られる。
【００３９】
接着剤６が硬化した後に図２の（ｄ）のように全てのラグスクリューを外し、二条の溝１０に接着剤１１が充填され、図４の（ｂ）のようにスタッド１２が溶接された溝形鋼９のフランジ部９ｆを入れて、図２の（ａ）に示した小ねじ１６などによって止める。外したラグスクリュー８を図４の（ｃ）のごとく溝形鋼９の上からさし込み、再度全段を図１の（ｂ）のように拘束しておく。その後、二次材を取りつける穴や凹みが必要に応じて加工される。これを橋梁建設現場の該当位置に設置し、図１の（ａ）のように、その上部にコンクリート床版３を形成させる。その際、溝形鋼９にから突出させたスタッド１２を埋没させ、橋桁と床版との一体性が高められる。
【００４０】
このようにして構築された木橋１３においては、コンクリート床版３からスタッド１２に作用するずれ応力（剪断応力）は溝形鋼９を介して重ね梁１に連続して伝達されることになり、重ね梁に不均等な荷重を及ぼさないようにしておくことができる。溝形鋼９がなければスタッド１２はラグスクリュー８と同様に重ね梁内を下方へ伸ばすことになるが、その埋め込まれたスタッドがずれ応力により木にめり込む。しかし、溝形鋼の存在は下に延びるスタッドを不要としつつ、床版３との接合剛性を格段に高いものにする。
【００４１】
以上の説明から分かるように、芯持ち角材の各重ね合わせ面に一定断面形を保って長手方向へ延び角材相互が係合する複数の凹凸条を形成するようにしたので、接着面積を平坦な接着面に比べて思いのほか大きく拡大することができる。ましてや角材の幅方向に連続して形成されていれば、重ね合わせ面全体に均等な接着力を発揮させやすくなる。ちなみに、角材は芯持ちとはいえ年輪構成の違いにより厳密に言えば等質性があるわけでなく、従って組合された状態にあっても僅かながらも異方的な変形やその程度にばらつきが出ることは否定しがたい。長手方向に延びる凹凸条は角材の重ね合わせ面における一体性を向上させ角材独自の変形が阻止される結果、重ね梁の変形は等質性ある部材としてのそれにとどまり、それゆえ接着層に無用の負荷を与えることも少なく、結局は接着耐力も長期にわたり安定して発揮される。
【００４２】
凹凸条は、その１サイクルを頂部、谷部、頂部と谷部をつなぎ平面的に見て頂部や谷部と重なることのない斜部からなるので、塗布された接着剤の層に厚薄が生じにくくまた接着剤溜まりの発生も少なくなる。空気が混入しても開口側にひらいた斜部はその排出を助長し、空欠部の発生を可及的に抑える。凹凸条のある重ね合わせ面にジベルを配設できなくはないが、そのジベル等の金属部品を介装させなくても上下の角材の長手方向のずれは阻止され、却ってジベルが存在するなら爾後的に生じるずれ止め機能の低下をきたすこともない。逆に、靱性を大きくすることにも寄与する。
【００４３】
凹凸条の存在により角材の製材面に対して表面積を少なくとも１．２倍増大させることにしているから、それだけ接着面積が増大する。面積の増大のみならず、接着面が係合状態におかれるから接着層は幅方向のずれ阻止負荷から解放され、大部分が長手方向のみの一次元的ずれの防止に集中して作用させることができ、接着層の脆弱化や剥離を抑制しまた遅らせることができる。低品質材であっても原木から高い歩留りで角材を得て、これを安定した接合による大断面化により大きい強度や剛性を発揮しさらには繰り返し荷重にも強い建築土木用資材を得ることができる。もちろん、廃材扱いされることの多い間伐材以外の木材を使用することも可能であり、使用木材の対象が拡大されることは言うまでもない。
【００４４】
ところで、接着面積の増加率を少なくとも１．２倍としているのは、これより小さければ面積の増加による接合力増強効果が顕著に発揮されないからである。加えて、凹凸条の高低比率も必然的に小さくなり、接着層には幅方向の保持力も担わされることになって接着面における応力の大きさや分布の複雑化を招き、経時的な接着力の低下が進行しやすくなるからである。その１．２倍を越えるようにしておけば、実用に供することができる程度にそれらの現象が弱められる。一方、増加率は幾ら高くても良いというものではなく、凹凸条として角材に成形できることや接着操作時の角材の重ね合わせ操作の難易等を考慮して決められ、１．５倍から１．６倍程度確保できれば十分である。
【００４５】
以上のような思想のもとに作り上げられた重ね梁を使用し、スタッドを植設した溝形鋼が固定された梁材を橋桁とすれば、車両や人の通行により生じる変動荷重にも耐えられ、しかも、橋梁自体の軽量化も促進されることになる。地元の余剰材を消費する機会も与えられ、コンクリートや鉄筋の消費量が抑えられる。なお、図１のような木橋１３にかぎらず、図８に示す波形鋼板１７上にコンクリート１８を打設した路盤１９や建築床構造に適用することも、その他の構造材としても使用することもできる。
【００４６】
重ね梁の形状としては図１のような上下に長い矩形に限らず、図９の（ａ）ないし（ｄ）に示したような正方形梁１Ａ、Ｔ形梁１Ｂ、溝形梁１Ｃ、Ｉ（Ｈ）形梁１Ｄや、図示しないＬ形、等辺Ｌ形といったように縦横に組み込むことにより、構造材としての断面形状を任意に与えることができる。ラグスクリュー８は縦横に配置されることになるが、挿通位置は角材の長手方向でずらせておけばよい。
【００４７】
ところで、凹凸条は上記したサインカーブに限らず、図３の（ｃ）や（ｄ）に示すように、１サイクルを１／３円弧２０ないし１／２円弧に近い円弧２１の正逆姿勢の連結によって与えるようにしてもよい。１／３円弧の場合の面積増は２０％であり、１／２円弧に近づけると５７％増とすることができる。しかし、それを越えると凹凸条が（ａ）の（１）の符号７Ａのごとく蟻溝的となり、角材の上下方向からの重ね合わせを不可能にする。１／２円弧に近づけると、斜部の中心における変曲点の勾配は約９０度となるが、その前後で傾斜を急に落とすので、嵌合操作に特別問題が生じることはない。
【００４８】
凹凸条は部分楕円や部分長円の組合せ曲線によって与えられる場合に限らず、図３の（ｅ）のように台形の正逆の繰り返し２２とすることもできる。上辺と高さがほぼ等しい台形で与える場合、斜辺の立ち上がり角は少なくとも４５度であり、大きくても７５度までとしておく。斜部の立ち上がり角は９０度に程遠いから、接着剤や気泡の閉塞で悩まされることはなくなる。いずれも、面積増による接着耐力の増強が顕著に見込まれるが、加工ならびに組立ての都合から許容される範囲で角度等が選定される。
【００４９】
以上は主として橋桁に適用する場合を念頭において説明した。しかし、上で少し触れた建築物の梁材として使用することも差し支えなく、その場合には溝形鋼を必ずしも取りつけてなくてよくまた二条の溝も必要でなくなる。例えば、通常静荷重しか作用しないか大きい繰り返し荷重を想定する必要のない梁として使用する場合には、接着の養生が済んだ後に、図２の（ｄ）のようにラグスクリューを取り除いたかたちでも使用することもできる。溝形鋼がなければ、例えば図１０に示すような二次材としての小梁２３を取りつける穴や凹み２４等を必要に応じて形成することも容易となる。
【図面の簡単な説明】
【００５０】
【図１】本発明に係る木製重ね梁が使用された木橋を表した橋梁で、（ａ）はスタッドの位置で、（ｂ）はラグスクリューの位置で切断した断面図。
【図２】重ね梁の詳細および凹凸条の形状の一例を示した構成図。
【図３】凹凸条の幾つかの例が適用された角材の断面図。
【図４】最上段の角材の上面斜視図。
【図５】角材の各面と端部に施された加工処理形状を表した斜視図。
【図６】角材の長尺化と重ね梁の製作要領を示した斜視図。
【図７】長尺化された角材の斜視図。
【図８】合成床板の支持に適用された重ね梁の正面図。
【図９】角材を組み合わせて得た各種形状の重ね梁の断面図。
【図１０】梁と小梁に施された二次加工後の一例の斜視図。
【図１１】重ね梁の先行技術例の断面図。
【図１２】重ね合わせ面の形による歩留りの悪さを説明する模式図。
【符号の説明】
【００５１】
１…重ね梁、、１Ａ…正方形梁、１Ｂ…Ｔ形梁、１Ｃ…溝形梁、１Ｄ…Ｉ（Ｈ）形梁、５，５Ａ，５Ｂ，５Ｃ，５Ｄ…角材、５ａ…重ね合わせ面、６…接着剤、７…凹凸条、８…ラグスクリュー、９…溝形鋼、９ｆ…フランジ部、９ｗ…ウエブ部、１０…二条の溝、１２…スタッド、１３…木橋、１４…フィンガー部、１９…床構造、２０…１／３円弧、２１…１／２円弧に近い円弧、２２…台形の正逆繰り返し。
【図１】
2007070880.tif 000003
【図２】
2007070880.tif 000004
【図３】
2007070880.tif 000005
【図４】
2007070880.tif 000006
【図５】
2007070880.tif 000007
【図６】
2007070880.tif 000008
【図７】
2007070880.tif 000009
【図８】
2007070880.tif 000010
【図９】
2007070880.tif 000011
【図１０】
2007070880.tif 000012
【図１１】
2007070880.tif 000013
【図１２】
2007070880.tif 000014